(57)【要約】      （修正有）【課題】印面を有する部分を金属で構成するとともに、印章全体の重量を低減できる印章を提供する。【解決手段】印章１は、印章１の軸芯Ｘ−Ｘ方向の一方の端部に印面を形成した印面部材３と、この印面部材３における軸芯Ｘ−Ｘ方向の他方側に設けた持手部材４で構成されている。印面とは、目的の印影と表裏反転した印影を彫った面のことであり、印面には、レーザ彫刻機などを使用して、文字や図案等の任意の意匠からなる印影を形成する。印面部材３は、チタン，アルミニウム等や、ジュラルミン、砲金、真鍮等の合金などの金属で構成され、好ましくは、チタンを含有する金属で構成される。印面部材３の横断面形状は、任意の形状に構成することができる。【選択図】図２
0003219142.tif 000002
【実用新案登録請求の範囲】
【請求項１】
金属で構成され、かつ、印面を有する印面部材と、該印面部材の材質と異なる材質で構成した持手部材を有することを特徴とする印章。
【請求項２】
前記印面部材は、チタンを含有する金属で構成されていることを特徴とする請求項１記載の印章。
【請求項３】
印面部材若しくは持手部材に雌ねじを形成し、該雌ねじにおける開口側端部の外周部に凹部を形成し、持手部材若しくは印面部材に前記雌ねじと螺合する雄ねじを形成し、該雄ねじにおける基部の外周部に前記凹部と係合する凸部を形成したことを特徴とする請求項１又は２記載の印章。
【請求項４】
前記持手部材の横断面形状の外周部は、その軸芯を中心とする周方向全体において、前記印面部材の横断面形状の外形よりも前記軸芯を中心とする径方向外側に突出するように形成した突出部を、少なくとも、前記印章の重心より前記印面側に形成することを特徴とする請求項１又は２又は３記載の印章。
【請求項５】
前記持手部材に転がり防止部を設けたことを特徴とする請求項１乃至４の何れか１項に記載の印章。
【考案の詳細な説明】
【技術分野】
【０００１】
本考案は、印章に関するものである。
【背景技術】
【０００２】
従来、印章は、木材、動物の角、牙類等の天然材料、又は、アクリル樹脂、ポリエステル等の合成樹脂材料、及び、金属類や石類又はセラミックを原料として円柱、楕円柱、又はデザイン柱形状に加工を施した印章材料に対し、直接文字や図案を彫刻した一体型の物で構成されていた。
【考案の概要】
【考案が解決しようとする課題】
【０００３】
印章は永年使用する物であることから、彫刻した文字や図案に対して、摩耗、破損が生じにくく、火災時などにおいて変形が生じることの少ないチタンを印章材料として用いられることがある。
【０００４】
しかし、チタンを印章材料として用いた場合には、印章の重量が重たくなるという問題点がある。
【０００５】
そこで、本考案は、上記問題点を解消した印章を提供することを目的とするものである。
【課題を解決するための手段】
【０００６】
前記の課題を解決するために、請求項１記載の考案は、金属で構成され、かつ、印面を有する印面部材と、該印面部材の材質と異なる材質で構成した持手部材を有することを特徴とするものである。
【０００７】
請求項２記載の考案は、請求項１記載の考案において、前記印面部材は、チタンを含有する金属で構成されていることを特徴とするものである。
【０００８】
請求項３記載の考案は、請求項１又は２記載の考案において、印面部材若しくは持手部材に雌ねじを形成し、該雌ねじにおける開口側端部の外周部に凹部を形成し、持手部材若しくは印面部材に前記雌ねじと螺合する雄ねじを形成し、該雄ねじにおける基部の外周部に前記凹部と係合する凸部を形成したことを特徴とするものである。
【０００９】
請求項４記載の考案は、請求項１又は２又は３記載の考案において、前記持手部材の横断面形状の外周部は、その軸芯を中心とする周方向全体において、前記印面部材の横断面形状の外形よりも前記軸芯を中心とする径方向外側に突出するように形成した突出部を、少なくとも、前記印章の重心より前記印面側に形成することを特徴とするものである。
【００１０】
請求項５記載の考案は、請求項１乃至４の何れか１項に記載の考案において、前記持手部材に転がり防止部を設けたことを特徴とするものである。
【考案の効果】
【００１１】
本考案の印章によれば、印面を有する印面部材を金属で構成し、持手部材を印面部材の材質と異なる材質で構成したことにより、印面が、摩耗、破損が生じにくく、火災時などにおいて変形が生じることを抑制できるとともに、印章全体の重量を軽減できる。
【図面の簡単な説明】
【００１２】
【図１】本考案の実施例１に係る印章の下方から見た斜視図。
【図２】図１の印章を、印面部材と持手部材に分離した状態の斜視図。
【図３】図２の部分縦断面図。
【図４】図１の要部縦断面図。
【図５】本考案の実施例１に用いる印面部材の軸芯方向の他方側面図。
【図６】本考案の実施例１に用いる持手部材の軸芯方向の一方側面図。
【図７】本考案の実施例２に係る印章の一例の要部縦断面図。
【図８】本考案の実施例２に係る印章の他例の要部縦断面図。
【図９】本考案の実施例２に係る印章の他例の要部縦断面図。
【考案を実施するための形態】
【００１３】
本考案を実施するための形態を図に基づいて説明する。
【００１４】
［実施例１］
本考案の印章１は、図１，図２に示すように、印章１の軸芯Ｘ−Ｘ方向の一方の端部に印面２を形成した印面部材３と、この印面部材３における軸芯Ｘ−Ｘ方向の他方側に設けた持手部材４で構成されている。前記印面２とは、目的の印影と表裏反転した印影を彫った面のことをいう。また、印面２には、レーザ彫刻機などを使用して、文字や図案等の任意の意匠からなる印影を形成する。
【００１５】
印面部材３は、チタン，アルミニウム等や、ジュラルミン、砲金、真鍮等の合金などの金属で構成され、好ましくは、チタンを有する金属で構成される。印面部材３の横断面形状は、任意の形状に構成することができ、本実施例では真円状に形成した。
【００１６】
印面部材３における軸芯Ｘ−Ｘ方向の他方側には、その軸芯部に雌ねじ５が刻設されている。雌ねじ５の外周部で、かつ、軸芯Ｘ−Ｘ方向の他方側（開口側）端部には、凹部６が周方向全体に亘って形成されている。凹部６は、図３に示すように、軸芯Ｘ−Ｘ方向の他方側に内周面形状が真円状となる大径部６ａ、一方側に小径部６ｂを有し、大径部６ａと小径部６ｂの間の段部６ｃは、印章１の軸芯Ｘ−Ｘと略並行に形成されている。また、大径部６ａの内周面の軸芯は、印章１の軸芯Ｘ−Ｘと略同じになるように形成されている。
【００１７】
持手部材４は、印面部材３とは異なる材料で構成され、金属以外の黒壇、紫壇などの木材類、動物の角等の天然材料や、ＡＢＳ樹脂、ポリエステル等の合成樹脂材料などで構成することが好ましい。
【００１８】
持手部材４の形状を、本実施例では円筒状に形成し、その横断面形状の外形は、印面部材の横断面形状の外形とほぼ同じとなるように形成するとともに真円状とした。なお、持手部材４の形状は、任意の形状に形成することができる。
【００１９】
例えば、持手部材４の横断面形状の外周部が、軸芯Ｘ−Ｘを中心とする周方向全体において、印面部材の横断面形状の外形よりも、軸芯Ｘ−Ｘを中心とする径方向外側に突出するように形成した突出部を、少なくとも、印章１の重心より印面２側に形成することができる。この一例として、持手部材４を円筒状に形成するとともに、持手部材４と印面部材３の軸芯が略同じとなるようにし、かつ、持手部材４の外径を印面部材３の外径より大きく形成する。このような形状に持手部材４を形成した場合、印章１を使用後、書類等の上に載置した際に、印面２に付着した朱肉が書類等に付着することを防止できる。
【００２０】
また、持手部材４の外周面の少なくとも一部に形成した平面部等の転がり防止部を形成することができる。この一例として、印面部材３を円筒状に、持手部材４の横断面形状を、軸芯Ｘ−Ｘ方向のほぼ全体に亘って、三角形、四角形、六角形等の多角形状に形成する。このような形状に持手部材４を形成した場合、印章１が転がることを防止できる。
【００２１】
また、持手部材４の表面には、表面塗装を施したり、印刷、転写、デコレーション装飾などの二次的加工を施し、高級感や個性的感覚を表現するようにしてもよい。
【００２２】
持手部材４は、図３に示すように、印章１の軸芯Ｘ−Ｘ方向の一方の端部に、印面部材３の雌ねじ５と螺合する雄ねじ８が刻設されている。雄ねじ８の基部の外周部には、凹部６と係合する凸部９が周方向全体に亘って形成されている。凸部９は軸芯Ｘ−Ｘ方向の一方側に外周面形状が真円状となる小径部９ａが、他方側に大径部９ｂを有し、大径部９ｂと小径部９ａの間の段部９ｃは、印章１の軸芯Ｘ−Ｘと略並行に形成されている。また、小径部９ａの外周面の軸芯は、印章１の軸芯Ｘ−Ｘと略同じになるように形成されている。
【００２３】
印面部材３における凹部６の大径部６ａの内径は、持手部材４における凸部９の小径部９ａの外径と同じ、若しくは、若干大きく形成した。
【００２４】
印面部材３の雌ねじ５に、持手部材４の雄ねじ８を螺合することにより、印面部材３を持手部材４に取付けることができるようになっている。その際、印面部材３の凹部６と持手部材４の凸部９が係合することにより、印面部材３の軸芯と、持手部材４の軸芯とが略同一直線状に位置するようにすることができる。
【００２５】
なお、印章１を購入者に販売する際には、印面部材３の雌ねじ５に、持手部材４の雄ねじ８を螺合するとともに、接着剤等により印面部材３と持手部材４を相互に固定することが好ましい。
【００２６】
本考案の印章１は、上記構造、構成を有することにより以下の作用、効果を奏する。
【００２７】
印面部材３を金属で構成したことにより、印面２が摩耗、破損等することを抑制し、火災時等により変形、腐食することを抑制できる。これにより、印章１を実印登録していた場合には、火災などにより印面２が実印としての機能を果たさなくなることを防止できる。
【００２８】
印面部材３を比重の高い金属で構成したとしても、持手部材４を金属以外の材質で構成することにより、印章１全体の重さを低減し、従来の木材、動物の角等の天然素材で構成した印章に近い重さとすることができる。
【００２９】
印面部材３を金属で構成し、持手部材４を木材類、角等の天然材料や、合成樹脂材料などで構成した場合は、印章１を用いて捺印する際に触れる持手部材４の温度は、人肌に近くし、温かさを感じさせることができる。また、購入者の好みに応じて、持手部材４の材質や形状を容易に変更することができ、持手部４に高級感や個性的感覚などを付与することができる。
【００３０】
印面部材３に印面２を形成する際に、持手部材４を取り外して行うことができ、印面２の形成の際に生じる熱が持手部材４に伝わることを防止できるとともに、印面２の形成時に持手部材４が油等で汚れることを防止できる。
【００３１】
上記実施例においては、印面部材３に雌ねじ５と凹部６を形成し、持手部材４に雄ねじ８と凸部９を形成したが、印面部材３に雄ねじ８と凸部９を形成し、持手部材４に雌ねじ５と凹部６を形成してもよい。
【００３２】
［実施例２］
上記実施例１では、印面部材３の雌ねじ５に、持手部材４の雄ねじ８を螺合することにより、印面部材３を持手部材４に取付けることができるようにしたが、印面部材３の持手部材４に対する取付は、任意の方法を用いることができる。
【００３３】
例えば、図７に示すように、印面部材３における軸芯Ｘ−Ｘ方向の他方の端部に凹部１０を軸芯方向外側が開口するように形成し、持手部材４における軸芯Ｘ−Ｘ方向の一方の端部に凸部１１を軸芯Ｘ−Ｘ方向に突出するように形成し、持手部材４の凸部１１を印面部材３の凹部１０に圧入することにより、印面部材３を持手部材４に対して固着するようにしてもよい。
【００３４】
また、図８に示すように、印面部材３における軸芯Ｘ−Ｘ方向の他方の端部を、軸芯に対して直交する平面３ａで構成し、持手部材４における軸芯Ｘ−Ｘ方向の一方の端部を、軸芯に対して直交する平面４ａで構成し、印面部材３の平面３ａと持手部材４の平面４ａを接着剤で相互に接合するようにしてもよい。
【００３５】
また、図９に示すように、印面部材３における軸芯Ｘ−Ｘ方向の他方の端部を、軸芯に対して直交する平面３ａで構成し、持手部材４における軸芯Ｘ−Ｘ方向の一方の端部を、軸芯に対して直交する平面４ａで構成し、印面部材３の軸芯Ｘ−Ｘ方向の他方の端部に連結穴１２を形成し、持手部材４の軸芯Ｘ−Ｘ方向の一方の端部に連結穴１３を形成し、両連結穴１２，１３内に連結部材１４を挿入し相互を接合することにより、印面部材３を持手部材４に対して固着するようにしてもよい。
【００３６】
上記以外の構成は上記実施例１と同様であるために、同様の符号を付して説明を省略する。
【００３７】
また、本実施例２においても、上記実施例１と同様の作用、効果を奏する。
【符号の説明】
【００３８】
１  印章
２  印面
３  印面部材
４  持手部材
５  雌ねじ
６  凹部
８  雄ねじ
９  凸部
【図１】
0003219142.tif 000003
【図２】
0003219142.tif 000004
【図３】
0003219142.tif 000005
【図４】
0003219142.tif 000006
【図５】
0003219142.tif 000007
【図６】
0003219142.tif 000008
【図７】
0003219142.tif 000009
【図８】
0003219142.tif 000010
【図９】
0003219142.tif 000011